(57)【要約】【課題】ユニット住宅を構成する居室部分を側壁部の中間部分において２分割した上下の分割ユニットの接合を、安定した構造で容易且つスムーズに行うことのできる住宅ユニットの組立構造を提供する。【解決手段】居室部分１９ｂを上下に２分割した形状を有する、床部１３及び下方側壁部１２ａからなる下方分割ユニット１１ａと、天井部１４及び上方側壁部１２ｂからなる上方分割ユニット１１ｂとを形成し、且つ下方分割ユニット１１ａには、たて枠部材１５ａの上端を連結する中間上枠部材１６が取り付けられていると共に、上方分割ユニット１１ｂには、たて枠部材１５ｂの下端を連結する中間下枠部材１７が取り付けられており、中間上枠部材１６と中間下枠部材１７とを重ね合わせて接合することにより、側壁部１２の中間部分において上下の分割ユニット１１ａ，１１ｂとを接合一体化して居室部分１９ｂを形成する。【選択図】        図１
2004300732.tif 000002
【特許請求の範囲】
【請求項１】
枠組壁工法によるユニット住宅を構成する６面体形状部分を、上下の分割ユニットを接合して形成する住宅ユニットの組立構造であって、
三方又は四方に配置された側壁部の中間部分において前記６面体形状部分を上下に２分割した形状を有する、床部及び三方又は四方の下方側壁部からなる下方分割ユニットと、天井部及び三方又は四方の上方側壁部からなる上方分割ユニットとを形成し、
且つ前記下方分割ユニットには、前記下方側壁部のたて枠部材の上端を連結するようにして横方向に配置される中間上枠部材が取り付けられていると共に、前記上方分割ユニットには、前記上方側壁部のたて枠部材の下端を連結するようにして横方向に配置される中間下枠部材が取り付けられており、
前記中間上枠部材と前記中間下枠部材とを重ね合わせて接合することにより、前記側壁部の中間部分において前記下方分割ユニットと前記上方分割ユニットとを接合一体化して前記６面体形状部分を形成することを特徴とする住宅ユニットの組立構造。
【請求項２】
前記６面体形状部分の高さの２／５〜３／５の領域において、前記下方分割ユニットと前記上方分割ユニットとが上下に２分割されている請求項１に記載の住宅ユニットの組立構造。
【発明の詳細な説明】
【０００１】
【発明の属する技術分野】
本発明は、住宅ユニットの組立構造に関し、特に、枠組壁工法によるユニット住宅を構成する６面体形状部分を形成するための住宅ユニットの組立構造に関する。
【０００２】
【従来の技術】
住宅建築物の施工の迅速化や高精度化を図るべく、予め工場等で形成された複数の住宅ユニットを建築施工現場で組み立てて構築するユニット住宅が開発されている。このようなユニット住宅においては、６面体形状部分として例えば直方体形状に割り付けられて形成された各住宅ユニットを例えば運送用のトラック等に積み込んで建築施工現場に搬入し、例えばクレーン等の吊り上げ用の重機を用いて吊り上げて所定の位置に設置し、他の住宅ユニットと共に接合一体化することによってユニット住宅を組み立てる。
【０００３】
そして、このようなユニット住宅の６面体形状部分を構成する住宅ユニットは、床部材から壁部材及び天井部材までを上下の区画割として割り付けたユニット形状となっているのが一般的である（例えば、特許文献１、特許文献２参照）。また、通常の高さ寸法の住宅ユニットを用いて室内高さの高い６面体形状の居室部分を形成することを目的として、上下の住宅ユニットの間に縦断面Ｈ形状の延長ユニットを介在させて当該上下の住宅ユニットを接合するようにしたユニット住宅も開示されている（例えば、特許文献３参照）。
【０００４】
【特許文献１】
特許第２５６２２２９号公報
【特許文献２】
特許第３０５０９４２号公報
【特許文献３】
特開平５−１８００９号公報
【０００５】
【発明が解決しようとする課題】
通常の高さ寸法の住宅ユニットの間に延長ユニットを介在させて、室内高さの高い６面体形状の居室部分を形成するようにした従来のユニット住宅によれば、トラック等による住宅ユニットの搬送時における高さ制限に影響されることなく、室内高さの高い６面体形状部分を形成することが可能になるが、住宅ユニットの側壁部と延長ユニットの側壁部とを接合することにより一体化されるものであるため、一体化された後の６面体形状部分が所望の強度を備えるように、これらの側壁部同士を安定した構造で連結する必要がある。特に、側壁部にも構造耐力を持たせるようにした枠組壁工法によるユニット住宅においては、当該枠組壁工法による側壁部の構造に大きな変更をもたらすことなく、当該枠組壁工法の構成材料を用いて、容易且つスムーズに上下の住宅ユニットを側壁部において接合一体化して、室内高さの高い６面体形状部分を安定した構造で形成できるようにすることが望まれている。
【０００６】
本発明は、このような従来の課題に着目してなされたもので、枠組壁工法によるユニット住宅を構成する６面体形状部分を側壁部の中間部分において２分割した上下の分割ユニットの接合を、容易且つスムーズに行うことが可能になり、これらの上下の分割ユニットが接合一体化した安定した構造の６面体形状部分を容易に形成することのできる住宅ユニットの組立構造を提供することを目的とする。
【０００７】
【課題を解決するための手段】
本発明は、枠組壁工法によるユニット住宅を構成する６面体形状部分を、上下の分割ユニットを接合して形成する住宅ユニットの組立構造であって、三方又は四方に配置された側壁部の中間部分において前記６面体形状部分を上下に２分割した形状を有する、床部及び三方又は四方の下方側壁部からなる下方分割ユニットと、天井部及び三方又は四方の上方側壁部からなる上方分割ユニットとを形成し、且つ前記下方分割ユニットには、前記下方側壁部のたて枠部材の上端を連結するようにして横方向に配置される中間上枠部材が取り付けられていると共に、前記上方分割ユニットには、前記上方側壁部のたて枠部材の下端を連結するようにして横方向に配置される中間下枠部材が取り付けられており、前記中間上枠部材と前記中間下枠部材とを重ね合わせて接合することにより、前記側壁部の中間部分において前記下方分割ユニットと前記上方分割ユニットとを接合一体化して前記６面体形状部分を形成することを特徴とする住宅ユニットの組立構造を提供することにより、上記目的を達成したものである（請求項１記載の発明）。
【０００８】
また、本発明の住宅ユニットの組立構造は、前記６面体形状部分の高さの２／５〜３／５の領域において、前記下方分割ユニットと前記上方分割ユニットとが上下に２分割されていることが好ましい（請求項２記載の発明）。
【０００９】
【発明の実施の形態】
本発明の好ましい一実施形態を添付図面を参照しつつ詳細に説明する。本実施形態の住宅ユニットの組立構造は、図１に示す枠組壁構法（ツーバイフォー構法）によるユニット住宅において、一般の居室部分１０ａの高さよりも室内高さの高い６面体形状の居室部分１０ｂを、分割ユニット１１ａ，１１ｂを用いて形成するべく採用されたものである。また特に、室内高さの高い６面体形状の居室部分１０ｂを本実施形態の組立構造を用いて組み立てることにより、当該室内高さの高い居室部分１０ｂを構成する分割ユニット１１ａ，１１ｂを、トラック等に積み込んで搬送する際の高さ制限を回避できる高さに容易に形成することが可能になり（図４参照）、これによって、当該室内高さの高い居室部分１０ｂを、分割ユニット１１ａ，１１ｂを用いて迅速且つ高精度に施工できるようにするものである。
【００１０】
そして、本実施形態の住宅ユニットの組立構造は、枠組壁工法によるユニット住宅を構成する６面体形状部分である居室部分１０ｂを、上下の分割ユニット１１ａ，１１ｂを接合して形成する組立構造であって、三方又は四方に配置された側壁部１２の中間部分において居室部分１０ｂを上下に２分割した形状を有する、床部１３及び三方又は四方の下方側壁部１２ａからなる下方分割ユニット１１ａと、天井部１４及び三方又は四方の上方側壁部１２ｂからなる上方分割ユニット１１ｂとを形成し、且つ下方分割ユニット１１ａには、図２に示すように、下方側壁部１２ａのたて枠部材１５ａの上端を連結するようにして横方向に配置される中間上枠部材１６が取り付けられていると共に、上方分割ユニット１１ｂには、上方側壁部１２ｂのたて枠部材１５ｂの下端を連結するようにして横方向に配置される中間下枠部材１７が取り付けられている。そして中間上枠部材１６と中間下枠部材１７とを重ね合わせて接合することにより、図１に示すように、側壁部１２の中間部分において下方分割ユニット１１ａと上方分割ユニット１１ｂとを接合一体化して、６面体形状の居室部分１０ｂを形成するものである。
【００１１】
なお、本実施形態によれば、例えば２８００ｍｍ程度の高さを有する一般の居室部分１０ａの高さよりも室内高さの高い、居室部分１０ｂの高さは、例えば  ４２００ｍｍ程度となっており、トラックに積み込んだ際の高さ制限は、例えば３８００ｍｍ程度であることから、６面体形状の居室部分１０ｂを上下に２分割することにより、例えば２８００ｍｍ程度の高さの下方分割ユニット１１ａと、例えば１４００ｍｍ程度の高さの上方分割ユニット１１ｂとが、当該居室部分１０ｂを組み立てるための分割ユニット１１ａ，１１ｂとして予め工場等において形成されることになる。
【００１２】
本実施形態によれば、下方分割ユニット１１ａは、矩形形状の床部１３と、この床部１３の三方又は四方の側縁部の上面から立設して取り付けられる下方側壁部１２ａとからなり、床部１３は、例えば枠組み部材として土台、根太、ころび止等を配置してなる床構面に、床下地用面材等の面材を必要に応じて取り付けることにより形成される、床パネル部材からなるものである。また床部１３は、枠組み部材のみによって形成されるパネル状の床構面であっても良く、断熱材、防水材、防湿材等を適宜取り付けておくこともできる。
【００１３】
下方側壁部１２ａは、床部１３の側縁部の上面から立設して三方又は四方に一体として取り付けられることにより、床部１３と共に強固な箱形形状を形成する部分であって、この下方側壁部１２ａは、例えば枠組み部材として下枠、たて枠、上枠等を縦横に配置してなる壁構面に、壁下地用面材等の面材を適宜取り付けて形成される壁パネル部材からなるものである。また下方側壁部１２ａは、枠組み部材のみによって形成されるパネル状の壁構面であっても良く、断熱材、防水材、防湿材等を適宜取り付けておくこともでき、窓用開口や出入口用開口等を形成しておくこともできる。さらに、下方側壁部１２ａは、下方分割ユニット１１ａの三方又は四方の各側面に沿って、当該各側面の全域に設けられる必要は必ずしもなく、各側面の一部に設けられるものであっても良い。
【００１４】
本実施形態によれば、下方側壁部１２ａを構成するたて枠部材１５ａの上端を連結するようにして横方向に配置される中間上枠部材１６は、枠組壁構法に用いられるたて枠、下枠、上枠等と同様の断面形状を有する木製材料（ディメンションランバー）からなり、各側壁部１２ａに配置される複数のたて枠部材１５ａの上端を一体としてつなぐように水平に取り付けられて、当該下方側壁部１２ａの上枠として配置され、たて枠部材１５ａ等と共に、強固な壁構面を構成する。なお、本実施形態によれば、中間上枠部材１６は、一段目は上枠材として、二段目、三段目は頭つなぎとして三段に重ねて配置されることにより、たて枠部材１５ａの上端を強固に連結している。また、三段に重ねて配置される中間上枠部材１６には、ボルト挿通孔１８が所定の間隔をおいて複数穿孔形成されている。
【００１５】
また、本実施形態によれば、上方分割ユニット１１ｂは、矩形形状の天井部１４と、この天井部１４の三方又は四方の側縁部の下面から垂下して取り付けられる上方側壁部１２ｂとからなり、天井部１４は、床部１３と同様に、例えば枠組み部材として下枠、根太、縦桟、横桟等を縦横に配置してなる天井構面に、天井下地用面材等の面材を必要に応じて取り付けることにより形成される天井パネル部材からなるものである。また天井部１４は、枠組み部材のみによって形成されるパネル状の天井構面であっても良く、断熱材、防水材、防湿材等を適宜取り付けておくこともできる。なお、天井部１４は、上階の居室部分の床部を兼ねるような構造のものであっても良い。
【００１６】
上方側壁部１２ｂは、天井部１４の側縁部の下面から垂下して三方又は四方に一体として取り付けられることにより、天井部１４と共に強固な箱形形状を形成する部分であって、この上方側壁部１２ｂは、下方側壁部１２ａと同様に、例えば枠組み部材として下枠、たて枠、上枠等を縦横に配置してなる壁構面に、壁下地用面材等の面材を適宜取り付けて形成される壁パネル部材からなるものである。また上方側壁部１２ｂは、枠組み部材のみによって形成されるパネル状の壁構面であっても良く、断熱材、防水材、防湿材等を適宜取り付けておくこともでき、窓用開口や出入口用開口等を形成しておくこともできる。さらに、上方側壁部１２ｂは、上方分割ユニット１１ｂの三方又は四方の各側面に沿って、当該各側面の全域に設けられる必要は必ずしもなく、各側面の一部に設けられるものであっても良い。
【００１７】
本実施形態によれば、上方側壁部１２ｂを構成するたて枠部材１５ｂの下端を連結するようにして横方向に配置される中間下枠部材１７は、中間上枠部材１６と同様に、枠組壁構法に用いられるたて枠、下枠、上枠等と同様の断面形状を有する木製材料（ディメンションランバー）からなり、各側壁部１２ｂに配置される複数のたて枠部材１５ｂの下端を一体としてつなぐように水平に取り付けられて、当該上方側壁部１２ｂの下枠として配置され、たて枠部材１５ｂ等と共に、強固な壁構面を構成する。また本実施形態によれば、中間下枠部材１７には、中間上枠部材１６に形成されボルト挿通孔１８と合致する位置に、ボルト挿通孔１９が所定の間隔をおいて複数穿孔形成されている。
【００１８】
なお、本実施形態によれば、下方分割ユニット１１ａ及び上方分割ユニット１１ｂは、いずれも、床部１３や天井部１４を囲む三方又は四方に下方側壁部１２ａや上方側壁部１２ｂを一体として取り付けた強固な箱形形状を有しているので、構造耐力を発揮する側壁部１２の中間部分において下方分割ユニット１１ａ及び上方分割ユニット１１ｂを接合する際に、その部位に発生する強度に対して抵抗できるような接合強度を確保する、より簡易な接合構造によって、当該側壁部１２の中間部分において下方分割ユニット１１ａ及び上方分割ユニット１１ｂを安定した状態で接合一体化することが可能になる。
【００１９】
そして、本実施形態によれば、上述の構成を有する下方分割ユニット１１ａと上方分割ユニット１１ｂは、予め工場等において形成される。すなわち、公知の各種の接合金物等を介して、床部１３や天井部１４と下方側壁部１２ａや上方側壁部１２ｂとが、例えば規格化された一連の作業工程に沿って迅速且つ精度良く組み立てられると共に、これらが容易且つ強固に接合一体化されて、高品質の下方分割ユニット１１ａと上方分割ユニット１１ｂとが形成されることになる。
【００２０】
工場等において形成された下方分割ユニット１１ａ及び上方分割ユニット１１ｂは、例えば運送用のトラック等に積み込んで建築施工現場に搬入され、例えばクレーン等の吊り上げ用の重機を用いて吊り上げて、基礎や土台の上に下方分割ユニット１１ａを据え付けた後、この下方分割ユニット１１ａの上方に、中間上枠部材１６に中間下枠部材１７を重ねるようにして上方分割ユニット１１ｂを据え付け、これらを接合一体化することにより、一般の居室部分１０ａの高さよりも室内高さの高い６面体形状の居室部分１０ｂが形成されることになる。
【００２１】
また、下方分割ユニット１１ａと上方分割ユニット１１ｂとを接合一体化する作業は、例えば中間上枠部材１６と中間下枠部材１７とを重ね合わせて合致したボルト挿通孔１８，１９に、両ネジボルト２０を挿通し、両側の雄ネジ部２１にナット部材２２を締結して中間上枠部材１６の下面及び中間下枠部材１７の上面に各々締着固定することにより、容易に行うことができる。なお、使用する両ネジボルト２０のボルト径、配設ピッチ等や、これが挿通されるボルト挿通孔１８，１９の径、配設ピッチ等は、接合強度や負荷されるせん断力、曲げモーメント等を鑑みて適宜設計することができる。
【００２２】
そして、本実施形態の住宅ユニットの組立構造によれば、枠組壁工法によるユニット住宅を構成する６面体形状の居室部分１０ｂを側壁部１２の中間部分において２分割した上下の分割ユニット１１ａ，１１ｂの接合を、容易且つスムーズに行うことが可能になり、これらの上下の分割ユニット１１ａ，１１ｂが接合一体化した安定した構造の居室部分１０ｂを容易に形成することが可能になる。すなわち、本実施形態の組立構造によれば、居室部分１０ｂを２分割した下方分割ユニット１１ａと上方分割ユニット１１ｂの、下方側壁部１２ａ、上方側壁部１２ｂには、各々中間上枠部材１６、中間下枠部材１７が取り付けられており、これらを重ね合わせて両ネジボルト２０等を介して接合するだけの簡単な作業によって、側壁部１２の中間部分において下方分割ユニット１１ａと上方分割ユニット１１ｂとを容易に接合一体化することが可能になる。
【００２３】
また、例えば図３（ａ）に示すように６面体形状の住宅ユニットに対して他の住宅ユニットとの接合面である天井部に水平荷重Ｐが負荷された場合、例えば側壁部１２ａ，１２ｂを構造モデル化してラーメン構造に置き換えて上方側壁部と下方側壁部を剛接合に近い接合構造とすれば、図３（ｂ）に示すような曲げモーメント分布と図３（ｃ）に示すようなせん断力分布の加重が側壁部に負担されることが知られている。すなわち、住宅ユニットの側壁部の全体に亘って負荷されるせん断力は変化しない一方で、側壁部の上下の端部から離れた中間部分においては、負荷される曲げモーメントが軽減されることになる。
【００２４】
したがって、下方分割ユニット１１ａと上方分割ユニット１１ｂとを、側壁部１２の上下の端部から相当の長さ離れた中間部分において分割したものとして形成することにより、当該下方分割ユニット１１ａと上方分割ユニット１１ｂとの接合部分において、負荷される曲げモーメントが低減されることになり、枠組壁構法による側壁部１２が構造耐力を期待されるものである場合においても、下方分割ユニット１１ａと上方分割ユニット１１ｂとの接合構造が、側壁部１２の中間部分でせん断力を十分に伝達できる構造であれば、これが簡易なものであっても、下方分割ユニット１１ａ及び上方分割ユニット１１ｂの強固な箱形形状と相俟って、安定した接合構造を構成することが可能になる。またこれによって、６面体形状の居室部分１０ｂを上下の分割ユニット１１ａ，１１ｂによって形成しても、居室部分１０ｂの全体として、居室部分１０を分割することなく一つの住宅ユニットによって形成した場合と同等の構造耐力を得ることが可能になる。
【００２５】
特に、下方分割ユニット１１ａと上方分割ユニット１１ｂとを、６面体形状の居室部分１０ｂの高さの２／５〜３／５の領域において２分割することにより、下方分割ユニット１１ａと上方分割ユニット１１ｂとが、曲げモーメントがより軽減された位置において接合されることになり、これによって、さらに安定した６面体形状の居室部分１０ｂを得ることが可能になる。
【００２６】
さらに、本実施形態によれば、６面体形状の居室部分１０ｂは、一般の居室部分１０ａの高さよりも室内高さが高くなっているが、上下に２分割された下方分割ユニット１１ａと上方分割ユニット１１ｂとによって構成されていることにより、下方分割ユニット１１ａと上方分割ユニット１１ｂを、図４に示すようなトラック等に積み込んで搬送する際の高さ制限を回避できる高さに容易に形成することができ、これによって、高さの高い居室部分１０ａを、工場等において予め形成された分割ユニット１１ａ，１１ｂを用いて容易に形成することが可能になる。
【００２７】
なお、本発明は上記実施形態に限定されることなく種々の変更が可能である。例えば、下方分割ユニットと上方分割ユニットとの接合一体化は、両ネジボルトを介して行う必要は必ずしもなく、例えば図５に示すように、Ｈ形断面接合金物２３を、これの上下の凹部に中間上枠部材１６、中間下枠部材１７を各々填め込んで介在させると共に、中間上枠部材１６、中間下枠部材１７に向けて、ビスや釘２４等を打ち込むことによって接合一体化することもできる。また、例えば図６に示すように、中間上枠部材１６の下方及び中間下枠部材１７の上方に面材受け材２５を各々取り付けておき、中間上枠部材１６と中間下枠部材１７とを重ね合わせてビスや釘等を打ち込むことによりこれらを仮固定した後、上下の面材受け材２５の間に面材２６を取り付け、中間上枠部材１６、中間下枠部材１７、及び上下の面材受け材２５に向けてビスや釘等を打ち込んで固定することにより、上下の分割ユニットを接合一体化することもできる。
【００２８】
さらに、下方分割ユニットと上方分割ユニットは、６面体形状部分の側壁部の略中央において上下に分割しても良く、高さの高い居室部分のみならず、一般の高さの居室部分においても本発明を適用することができる。さらにまた、図７に示すように、ユニット住宅を構成する居室部分の一部のみならず全部の居室部分に本発明を適用して、ユニット住宅を組み立てることもでき、図８に示すように、上方分割ユニット１１ｂを最下階に配置し、中間下枠部材１７をアンカーボルトと連結すことにより基礎２７に締着して、ユニット住宅を組み立てることもできる。また、本発明は、図９に示すように、傾斜面にユニット住宅を構築する際にも有効である。
【００２９】
【発明の効果】
本発明の住宅ユニットの組立構造によれば、枠組壁工法によるユニット住宅を構成する６面体形状部分を側壁部の中間部分において２分割した上下の分割ユニットの接合を、容易且つスムーズに行うことが可能になり、これらの上下の分割ユニットが接合一体化した安定した構造の６面体形状部分を容易に形成することができる。
【図面の簡単な説明】
【図１】本発明の一実施形態に係る住宅ユニットの組立構造を用いて６面体形状部分を形成したユニット住宅の一例を示す略示断面図である。
【図２】下方分割ユニットと上方分割ユニットとを接合一体化する方法の一例を説明する、壁下地用面材を省略して示す部分斜視図である。
【図３】６面体形状の住宅ユニットへの荷重の負荷状況を説明する、（ａ）は略示断面図、（ｂ）曲げモーメント分布図、（ｃ）はせん断力分布図である。
【図４】分割ユニットを搬送する状況の説明図である。
【図５】下方分割ユニットと上方分割ユニットとを接合一体化する他の方法を説明する、壁下地用面材を省略して示す部分斜視図である。
【図６】下方分割ユニットと上方分割ユニットとを接合一体化するさらに他の方法を説明する、壁下地用面材を省略して示す部分斜視図である。
【図７】本発明の一実施形態に係る住宅ユニットの組立構造を用いて６面体形状部分を形成したユニット住宅の他の例を示す略示断面図である。
【図８】本発明の一実施形態に係る住宅ユニットの組立構造を用いたユニット住宅の他の例を示す略示断面図である。
【図９】本発明の一実施形態に係る住宅ユニットの組立構造を用いたユニット住宅のさらに他の例を示す略示断面図である。
【符号の説明】
１０ａ  一般の高さの居室部分
１０ｂ  室内高さの高い居室部分（６面体形状部分）
１１ａ  下方分割ユニット
１１ｂ  上方分割ユニット
１２ａ  下方側壁部
１２ｂ  上方側壁部
１３  床部
１４  天井部
１５ａ  下方側壁部のたて枠部材
１５ｂ  上方側壁部のたて枠部材
１６  中間上枠部材
１７  中間下枠部材
１８，１９  ボルト挿通孔
２０  両ネジボルト
【図１】
2004300732.tif 000003
【図２】
2004300732.tif 000004
【図３】
2004300732.tif 000005
【図４】
2004300732.tif 000006
【図５】
2004300732.tif 000007
【図６】
2004300732.tif 000008
【図７】
2004300732.tif 000009
【図８】
2004300732.tif 000010
【図９】
2004300732.tif 000011